(57)【特許請求の範囲】
【請求項１】
少なくとも２つの、１つのラインに連続して配置されている処理領域（６，１１）にて、サブストレート（１，１３）に構成素子（２）を装着するための方法であって、
前記処理領域は、前記サブストレート（１，１３）用の少なくとも１つの搬送装置（７，１２）により接続されており、それぞれ少なくとも１つの装着ヘッド（４，１０）及びそれぞれ複数の供給ユニット（３）を有しており、
各供給ユニット（３）は、１つの構成素子タイプの複数の構成素子（２）を具備している、サブストレートに構成素子を装着するための方法において、
サブストレート（１，１３）上に装着すべき種々な構成素子タイプの数が、前記供給ユニット（３）の数と比較され、
装着すべき構成素子タイプの数が少ないか又は同じである場合、前記サブストレート（１，１３）の装着は、１つの処理領域（６，１１）のなかで完全に行われ、
装着すべき構成素子タイプの数が多い場合には、前記サブストレート（１，１３）の装着は、少なくとも２つの連続する処理領域（６，１１）にて行われることを特徴とする、サブストレートに構成素子を装着するための方法。
【請求項２】
少なくとも２つの、１つのラインに連続して配置されている処理領域（６，１１）にて、サブストレート（１，１３）に構成素子（２）を装着するための方法であって、
前記処理領域は、前記サブストレート（１，１３）用の少なくとも１つの搬送装置（７，１２）により接続されており、それぞれ少なくとも１つの装着ヘッド（４，１０）及びそれぞれ複数の供給ユニット（３）を有しており、
各供給ユニット（３）は、１つの構成素子タイプの複数の構成素子（２）を具備している、サブストレートに構成素子を装着するための方法において、
サブストレート（１，１３）上に装着すべき種々な構成素子タイプの数が、前記供給ユニット（３）の数と比較され、
装着すべき構成素子タイプの数が少ないか又は同じである場合、前記処理領域（６，１１）のうちの１つの処理領域での完全な装着の経過と、少なくとも２つの処理領域（６，１１）での装着の経過との間の理論的な時間差が、装着ヘッドの理論的な時間特性を用いて求められ、
正の時間差の場合、前記サブストレート（１，１３）の装着は、１つの処理領域（６，１１）内で完全に行われ、負の時間差の場合には、少なくとも２つの処理領域（６，１１）にて行われ、
装着すべき構成素子タイプの数が多い場合には、前記サブストレート（１，１３）の装着は、少なくとも２つの連続する処理領域（６，１１）にて行われることを特徴とする、サブストレートに構成素子を装着するための方法。
【請求項３】
複数のサブストレート（１，１３）に構成素子（２）を装着するための方法において、
前記複数のサブストレートの第１の部分（例えば１）が、第１の搬送装置（７）上で、前記処理領域（６，１１）のラインを通って搬送され、前記複数のサブストレートの第２の部分（例えば１３）が、実質的に前記第１の搬送装置（７）に平行に配置されている第２の搬送装置（１２）上で、前記処理領域（６，１１）のラインを通って搬送され、
装着すべき構成素子タイプの数が少ないか又は同じである場合、前記サブストレートの第１の部分（例えば１）の装着が、第１の処理領域（６）のなかで完全に行われ、前記サブストレートの第２の部分（例えば１３）の装着が、第２の処理領域（１１）のなかで完全に行われることを特徴とする、請求項１又は２に記載の方法。
【請求項４】
複数のサブストレート（１，１３）に構成素子（２）を装着するための方法において、
前記供給ユニット（３）の第１のグループ（１４）が、前記２つの搬送装置（７，１２）の両サイドのうちの一方の側方の処理領域（６，１１）に配置されており、前記第１のグループ（１４）の残りが、前記搬送装置（７，１２）の対向する側の供給ユニット（３）の第２のグループ（１５）に配置されており、
第１の搬送装置（７）上にある前記複数のサブストレートのうちの１つ（例えば１）に装着される構成素子タイプの数が、第１のグループ（１４）にある供給ユニット（３）のそれぞれの数と比較され、
前記構成素子タイプの数が少ないか又は同じ場合、装着すべき構成素子タイプを有する供給ユニット（３）から成る第１のグループ（１４）がまとめられ、第１の搬送装置（７）に近い側に配置されることを特徴とする、請求項３に記載の方法。
【請求項５】
複数のサブストレート（１，１３）に構成素子（２）を装着するための方法において、
第２の搬送装置（１２）上にある前記複数のサブストレートのうちの１つ（例えば１３）に装着される構成素子タイプの数が、第２のグループ（１５）にある供給ユニット（３）のそれぞれの数と比較され、
前記構成素子タイプの数が少ないか又は同じ場合、装着すべき構成素子タイプを有する供給ユニット（３）から成る第２のグループ（１５）がまとめられ、第２の搬送装置（１２）に近い側に配置されることを特徴とする、請求項４に記載の方法。
【発明の詳細な説明】
【０００１】
本発明は、請求項１又は２の上位概念に記載のサブストレートに構成素子を装着するための方法に関する。
【０００２】
サブストレート、特にプリント配線板に構成素子を装着する場合、構成素子が、装着ヘッドを用いて供給ユニットから取出され、装着ヘッドによりサブストレート上の所定の位置に位置決めされる。この場合、装着効率（単位時間毎の装着されるサブストレート）を高めるために、単位時間当たり出来るだけ多くの構成素子をサブストレート上に位置決めしなければならない。
【０００３】
これに対し、ＷＯ９８／３７７４４から電気部品の製造装置が公知である。前記装置は、中央領域に２つの密に隣接した、平行に延在するリニアな長手方向ガイドを有し、該ガイドにて、キャリッジが相応して移動できる。これらのキャリッジは、それぞれ１つの装着ヘッドを吊り下げるために、それぞれ１つの横方向支持体を有している。この場合、相互に依存せずに操作可能である２つの別個の処理領域が形成される。このことにより、装置の高い装着効率が実現される。
【０００４】
さらに高い装着効率のために、自動装着機は１つのラインにまとめられる。この場合、種々の自動装着機は、種々の構成素子タイプを具備しており、それぞれの構成素子タイプに対し特別な構成を有している。したがって、ラインに配置されている自動装着機は、ラインに配置された処理領域を形成しており、その際、個別の処理領域が配属されており、該処理領域はそれぞれ、１つの装着ヘッド、及び該装着ヘッドに所属の、所定の構成素子タイプを有する供給ユニットを有している。次いで、個別のサブストレートに対する装着すべき全構成素子が、２つの処理領域に分割される、すなわち、供給ユニットも個別の処理領域に分割される。
【０００５】
サブストレートの処理領域内への移動のようなダウンタイムが、装着効率に影響を及ぼさないようにするため、２つの搬送装置が用いられる。しかし、装着すべき構成素子の数が少ない（＜約１００個の構成素子）サブストレートでは、ダウンタイムのパーセンテージが非常に高い割合を示すことを考慮しなければならない。例えば、サブストレート上の基準マークの新たな測定（位置決め）が、次の処理領域への搬送後に必要である。装着物が少ない場合に効率低下をもたらす別の影響は、ヘッドに設けられている吸着ピペットの数量によるものである（例えば１２又は１８）。部分的にのみ充填された装着ヘッドでも、完全に充填された装着ヘッドと同様に、ほぼ総数のヘッドサイクルを走行しなければならない。
【０００６】
したがって本発明の課題は、装着すべき構成素子が少なく、処理領域が複数ある場合に高い装着効率が得られる、サブストレートに構成素子を装着するための方法を提供することである。
【０００７】
上記課題は本発明により、請求項１又は２の特徴部を有する冒頭に記載の方法により解決される。
【０００８】
本発明の方法により、装着すべき構成素子の数が、処理領域内の供給ユニットの数と比して少ないか又は同じである場合、完全なサブストレートの装着が既に第１の処理領域上で行われる。このことにより、第２の処理領域のなかでサブストレートのマーキングを新たに測定するような不要なダウンタイムが発生しなくなる、又は、例えば走行すべき装着ヘッドサイクルの数を小さくすることにより、ダウンタイムが低減される。
【０００９】
請求項２では、付加的に次の構成が提案されている。すなわち、装着すべき構成素子タイプが少ない場合付加的に、装着ヘッドの仮定された時間特性に基づき理論的に、１つの作動領域での装着により時間の短縮が図れるかどうかが求められ、時間短縮のある場合にのみ、次いで、１つの処理領域のなかで装着が行われる。一般にこの時間の節約は、特に装着物の少ない場合、つまり、装着すべき構成素子の数が少ない場合に生ずるものである。
【００１０】
請求項３に記載の方法の有利な構成では、実質的に平行に配置されている２つの搬送装置を用いた所謂ドゥアルトランスポートを用いる際に、装着物の少ない場合、実質的に相互に分離して作動する２つの装着ラインが用いられることが保証される。したがって、この場合、第１のサブストレートの装着が第１の処理領域のなかで次のように行われる。すなわち、第２の処理領域において装着はもはや必要ではなく、一方、第２の搬送装置上の第２のサブストレートの装着は、第２の処理領域内で行われる。
【００１１】
請求項４によれば、装着すべき構成素子タイプの数が、搬送装置の一方の側方に配置することのできる供給ユニットの数より少ない場合、全ての構成素子タイプを搬送装置の側方にて供給ユニットに配置することは有利である。これは、搬送装置の近傍にあり、該搬送装置上に、装着すべきサブストレートが存在している。
【００１２】
請求項５によれば、２つの搬送装置上に、装着すべき構成素子の数の少ないサブストレートが存在している場合、以下の構成が有利である。すなわち、２つの装着プロセスに対して具備すべき構成素子タイプはそれぞれ、搬送装置の側方に配置されており、これは、その上にそれぞれ装着すべきサブストレートが存在する搬送装置の近傍に位置している。
【００１３】
次に本発明を実施の形態に基づき図を用いて詳細に説明する。
【００１４】
図１は、装着すべき構成素子が多数の場合の、２つの処理領域を有する構成素子の装着のための１つのラインを上から見た平面略図である。
【００１５】
図２は、装着すべき構成素子が少数の場合の、処理領域の１つのラインを上から見た平面略図である。
【００１６】
図３は、本発明の方法の第１の実施例のフローチャートを示す。
【００１７】
図４は、本発明の方法の第２の実施例のフローチャートを示す。
【００１８】
図１に、処理領域６，１１の１つのラインを上から見た平面略図が示されている。第１の処理領域６において、第１のサブストレート１に、供給ユニット３にて供給される構成素子２が装着される。装着ヘッド４は保持装置５たとえば吸着ピペットを用いて、供給ユニット３から構成素子２を受容し、該構成素子を実質的にサブストレート１の表面に対して平行な運動により、サブストレート１上の所定の位置に搬送し、それらをサブストレート１上に載置する。このとき、装着ヘッド４は処理領域６のなかで可動である。第１の搬送装置７を介して、第１のサブストレート１は第１の処理領域６に移動され、構成素子の第１のグループ８が装着され、装着プロセスの後に第２の処理領域１１に搬送される。したがって、２つの処理領域６，１１は１つのラインに配置されている。第２の処理領域１１において、第２の装着ヘッド１０を用いて同様に、サブストレート１に、供給ユニット３からの構成素子２の第２のグループ９が装着される。
【００１９】
さらに、図１に第２のサブストレート１３が示されている。該サブストレート１３は第２の搬送装置１２の上で同様に２つの処理領域６，１１を通って移動し、それぞれの処理領域６，１１において、第１の装着ヘッド４及び第２の装着ヘッド１０を用いて、第１のグループ８及び第２のグループ９の構成素子２がサブストレートに装着される。別の構成素子を装着するため、ラインに別の構成素子を設けることができる。その場合、各供給ユニット３に、例えば所定の抵抗、所定の集積回路または他の所定の電子部品などの所定の構成素子タイプの構成素子２を具備している。全ての装着物を２つの処理領域に分配することにより、特に装着すべき構成素子が少ない場合、次のような不都合が生ずる。すなわち、実際の装着プロセスが開始される前に、それぞれの処理領域において、例えば個々のサブストレート１の位置を決定しなければならない。また、装着すべき構成素子２が少ない場合、しばしば次のようなケースが生ずる。例えば、本実施例では装着ヘッド４は全部で１２個の吸着ピペット５を有するが、装着ヘッド４は、全部のピペットに構成素子が装着されていなくても、全部のピペットに構成素子が装着されている場合とほぼ総数のヘッドサイクルを走行しなければならないことがよく起こる。しかしながら、供給ユニット３からサブストレート１までのこの時間は、装着効率の高さ、すなわち単位時間ごとの装着される構成素子の数に極めて影響する。
【００２０】
図２では、装着すべき構成素子が少ない場合、装着物全体、つまり、第１のグループ８および第２のグループ９が、２つの処理領域のうちの１つのなかでのみ装着されることが示されている。図示していないが、変更時間をできるだけ短くするために、各処理領域において搬送装置７，１２上のそれぞれ空のスペースを、更なるサブストレートのためのバッファ（緩衝）として使用することができる。
【００２１】
図３のフローチャートにて概略的に示したように、第１の実施例では装着プロセスの前に、サブストレート上に装着すべき構成素子タイプの総数が、処理領域内の供給ユニットの数より多いかどうか検出される。当該総数が多い場合のみ、装着は２つの処理領域に分割され、さもなければ、全ての構成素子の装着は１つの処理領域において行われる。
【００２２】
図４の別のフローチャートには、１つの別の実施例が示されている。ここでは、唯１つの処理領域内で装着することによる時間的な利点が、装着すべき構成素子の数が少ない場合に特に大きいことが考慮されている。なぜなら、この場合、ダウンタイムが特に有効に低減されているからである。したがって、装着の前に、所謂セットアップの最適化の範囲内で、装着ヘッドの理論的な移動時間を考慮して、構成素子タイプが少ない場合、装着物を２つの処理領域に分割すると時間の短縮が得られるか否か求められる。この結果に依存して、次いで、装着が１つの又は２つの処理領域において行われる。
【００２３】
第１の搬送装置７および第２の搬送装置１２を用いる場合、２つの搬送装置ならびに２つの処理領域６，１１は、本方法により実質的に分離される。したがって、当該方法により有利には、１つの装着ラインにおいて、コストのかかる組換えをすることなく、一方では、多数の装着物を有するサブストレートは複数の処理領域に分割され、他方、少数の装着物を有するサブストレートは、１つの処理領域のなかでのみ装着が行われ、高い装着効率にて製造することができる。
【００２４】
さらに高い装着効率は、サブストレート１，１３上に装着すべき構成素子タイプ２の数が、搬送装置７，１２の側方のグループ１４，１５に配置されている供給ユニット３の数より少ないか又は同じである場合、達成することができる。次いで、全ての装着すべき構成素子タイプ２が、第１のグループ１４の供給ユニット３にて、第１の搬送装置７のすぐ隣に到来すると（セットアップ）、装着ヘッドは、供給ユニット３とサブストレート１との間で短い距離のみを移動する。これに相応して、第２の処理領域１１内の第２のサブストレート１３では、装着は専ら、供給ユニット３の第２のグループ１５の装着物に関連して行われる。
【図面の簡単な説明】
【図１】  装着すべき構成素子が多数の場合の、２つの処理領域を有する構成素子の装着のための１つのラインを上から見た平面略図である。
【図２】  装着すべき構成素子が少数の場合の、処理領域の１つのラインを上から見た平面略図である。
【図３】  本発明の方法の第１の実施例のフローチャートを示す。
【図４】  本発明の方法の第２の実施例のフローチャートを示す。
【図１】
0003704308.tif 000002
【図２】
0003704308.tif 000003
【図３】
0003704308.tif 000004
【図４】
0003704308.tif 000005